【手続補正書】
【提出日】平成24年6月7日(2012.6.7)
【手続補正１】
【補正対象書類名】明細書
【補正対象項目名】００１１
【補正方法】変更
【補正の内容】
【００１１】
上記目的を達成するために、本発明は以下の構成を有するものである。
１．少なくとも２成分以上の熱可塑性樹脂からなるポリマーアロイにおいて、該ポリマーアロイを構成する熱可塑性樹脂成分のうち少なくとも１つの熱可塑性樹脂成分の前駆体がビニル単量体（Ａ）であり、該ビニル単量体（Ａ）を残りの熱可塑性樹脂成分（Ｂ１）および／または熱可塑性樹脂成分の前駆体（Ｂ２）共存下で化学反応させることでスピノーダル分解を誘発させることにより得られることを特徴とするポリマーアロイ。
２．前記ポリマーアロイにおいて、マトリックス中に平均粒子径０．３μｍ以上５μｍ未満の分散ドメインａが存在することを特徴とする１に記載のポリマーアロイ。
３．前記ポリマーアロイにおいて、該分散ドメインａ中に構造周期０．００１μｍ以上０．１μｍ未満の両相共連続構造および／または粒子間距離０．００１μｍ以上０．１μｍ未満の分散構造を有することを特徴とする２に記載のポリマーアロイ。
４．前記ポリマーアロイにおいて、マトリックス中に構造周期０．００１μｍ以上０．１μｍ未満の両相共連続構造および／または粒子間距離０．００１μｍ以上０．１μｍ未満の分散構造を有することを特徴とする２〜３のいずれかに記載のポリマーアロイ。
５．前記ポリマーアロイを構成する成分中でポリマーアロイ中の体積分率の多い成分が分散ドメイン相を形成していることを特徴とする、２に記載のポリマーアロイ。
６．化学反応前にはビニル単量体（Ａ）と残りの熱可塑性樹脂成分（Ｂ１）および／または熱可塑性樹脂成分の前駆体（Ｂ２）の少なくとも一つが相溶し、化学反応後に相分離することを特徴とする１〜５のいずれかに記載のポリマーアロイ。
７．前記化学反応がラジカル重合反応であり、ポリマー生成に伴う少なくとも２段階の液―液相分離を経て得られることを特徴とする１〜６のいずれかに記載のポリマーアロイ。
８．前記ビニル単量体（Ａ）が、メタクリル酸またはそのエステル、アクリル酸またはそのエステル、カルボン酸ビニル、スチレン、アクリロニトリルから選ばれる少なくとも１種の単量体であることを特徴とする１〜７のいずれかに記載のポリマーアロイ。
９．熱可塑性樹脂成分（Ｂ１）がポリメタクリル酸またはそのエステル、ポリアクリル酸またはそのエステル、ポリカルボン酸ビニル、ポリスチレン、ポリアクリロニトリル、ポリエチレン、ポリビニルピロリドン、ポリフッ化ビニリデン、ポリエステル、ポリアミドおよびセルロース類から選ばれる少なくとも１種の熱可塑性樹脂および／またはその共重合体であることを特徴とする１〜８のいずれかに記載のポリマーアロイ。
１０．熱可塑性樹脂成分の前駆体（Ｂ２）がポリエステル、ポリアミド、ポリアリーレンスルフィドおよびポリカーボネートから選ばれる少なくとも１種の熱可塑性樹脂成分の前駆体であることを特徴とする１〜９のいずれかに記載のポリマーアロイ。
１１．１〜１０のいずれかに記載のポリマーアロイを成形してなる成形品。
１２．少なくとも２成分以上の熱可塑性樹脂からなるポリマーアロイを製造する際に、前記ポリマーアロイを構成する熱可塑性樹脂成分のうち少なくとも１つの熱可塑性樹脂成分の前駆体がビニル単量体（Ａ）であり、該ビニル単量体（Ａ）を残りの熱可塑性樹脂成分（Ｂ１）および／または熱可塑性樹脂成分の前駆体（Ｂ２）共存下で化学反応させることでスピノーダル分解を誘発させることを特徴とするポリマーアロイの製造方法。
１３．ビニル単量体（Ａ）と残りの熱可塑性樹脂成分（Ｂ１）および／または熱可塑性樹脂成分の前駆体（Ｂ２）の少なくとも一つが相溶し、化学反応後に相分離することを特徴とする１２に記載のポリマーアロイの製造方法。
１４．前記化学反応がラジカル重合反応であり、ポリマー生成に伴う少なくとも２段階の液―液相分離を経て得られることを特徴とする１２〜１３のいずれかに記載のポリマーアロイの製造方法。
１５．前記ビニル単量体（Ａ）が、メタクリル酸またはそのエステル、アクリル酸またはそのエステル、カルボン酸ビニル、スチレン、アクリロニトリルから選ばれる少なくとも１種の単量体であることを特徴とする１２〜１４のいずれかに記載のポリマーアロイの製造方法。
１６．熱可塑性樹脂成分（Ｂ１）がポリメタクリル酸またはそのエステル、ポリアクリル酸またはそのエステル、ポリカルボン酸ビニル、ポリスチレン、ポリアクリロニトリル、ポリエチレン、ポリビニルピロリドン、ポリフッ化ビニリデン、ポリエステル、ポリアミドおよびセルロース類から選ばれる少なくとも１種の熱可塑性樹脂および／またはその共重合体であることを特徴とする１２〜１５のいずれかに記載のポリマーアロイの製造方法。
１７．熱可塑性樹脂成分の前駆体（Ｂ２）がポリエステル、ポリアミド、ポリアリーレンスルフィドおよびポリカーボネートから選ばれる少なくとも１種の熱可塑性樹脂成分の前駆体であることを特徴とする１２〜１６のいずれかに記載のポリマーアロイの製造方法。
【手続補正２】
【補正対象書類名】明細書
【補正対象項目名】００３４
【補正方法】変更
【補正の内容】
【００３４】
ビニル単量体を用いた反応誘発型相分解の具体例を次に挙げる。ビニル単量体（Ａ）を残りの熱可塑性樹脂成分（Ｂ１）共存下で化学反応させるケースとして、メタクリル酸またはそのエステル、アクリル酸またはそのエステル、カルボン酸ビニル、スチレン、アクリロニトリルから選ばれる少なくとも１種のビニル単量体（Ａ）に、ポリメタクリル酸またはそのエステル、ポリアクリル酸またはそのエステル、ポリカルボン酸ビニル、ポリスチレン、ポリアクリロニトリル、ポリエチレン、ポリビニルピロリドン、ポリフッ化ビニリデン、ポリエステル、ポリアミドおよびセルロース類から選ばれる少なくとも１種の熱可塑性樹脂および／またはその共重合体である熱可塑性樹脂成分（Ｂ１）を相溶化し、ビニル単量体（Ａ）を重合させて相分解させる方法が挙げられる。
【手続補正３】
【補正対象書類名】特許請求の範囲
【補正対象項目名】全文
【補正方法】変更
【補正の内容】
【特許請求の範囲】
【請求項１】
少なくとも２成分以上の熱可塑性樹脂からなるポリマーアロイにおいて、該ポリマーアロイを構成する熱可塑性樹脂成分のうち少なくとも１つの熱可塑性樹脂成分の前駆体がビニル単量体（Ａ）であり、該ビニル単量体（Ａ）を残りの熱可塑性樹脂成分（Ｂ１）および／または熱可塑性樹脂成分の前駆体（Ｂ２）共存下で化学反応させることでスピノーダル分解を誘発させることにより得られることを特徴とするポリマーアロイ。
【請求項２】
前記ポリマーアロイにおいて、マトリックス中に平均粒子径０．３μｍ以上５μｍ未満の分散ドメインａが存在することを特徴とする請求項１に記載のポリマーアロイ。
【請求項３】
前記ポリマーアロイにおいて、該分散ドメインａ中に構造周期０．００１μｍ以上０．１μｍ未満の両相共連続構造および／または粒子間距離０．００１μｍ以上０．１μｍ未満の分散構造を有することを特徴とする請求項２に記載のポリマーアロイ。
【請求項４】
前記ポリマーアロイにおいて、マトリックス中に構造周期０．００１μｍ以上０．１μｍ未満の両相共連続構造および／または粒子間距離０．００１μｍ以上０．１μｍ未満の分散構造を有することを特徴とする請求項２〜３のいずれかに記載のポリマーアロイ。
【請求項５】
前記ポリマーアロイを構成する成分中でポリマーアロイ中の体積分率の多い成分が分散ドメイン相を形成していることを特徴とする、請求項２に記載のポリマーアロイ。
【請求項６】
化学反応前にはビニル単量体（Ａ）と残りの熱可塑性樹脂成分（Ｂ１）および／または熱可塑性樹脂成分の前駆体（Ｂ２）の少なくとも一つが相溶し、化学反応後に相分離することを特徴とする請求項１〜５のいずれかに記載のポリマーアロイ。
【請求項７】
前記化学反応がラジカル重合反応であり、ポリマー生成に伴う少なくとも２段階の液―液相分離を経て得られることを特徴とする請求項１〜６のいずれかに記載のポリマーアロイ。
【請求項８】
前記ビニル単量体（Ａ）が、メタクリル酸またはそのエステル、アクリル酸またはそのエステル、カルボン酸ビニル、スチレン、アクリロニトリルから選ばれる少なくとも１種の単量体であることを特徴とする請求項１〜７のいずれかに記載のポリマーアロイ。
【請求項９】
熱可塑性樹脂成分（Ｂ１）がポリメタクリル酸またはそのエステル、ポリアクリル酸またはそのエステル、ポリカルボン酸ビニル、ポリスチレン、ポリアクリロニトリル、ポリエチレン、ポリビニルピロリドン、ポリフッ化ビニリデン、ポリエステル、ポリアミドおよびセルロース類から選ばれる少なくとも１種の熱可塑性樹脂および／またはその共重合体であることを特徴とする請求項１〜８のいずれかに記載のポリマーアロイ。
【請求項１０】
熱可塑性樹脂成分の前駆体（Ｂ２）がポリエステル、ポリアミド、ポリアリーレンスルフィドおよびポリカーボネートから選ばれる少なくとも１種の熱可塑性樹脂成分の前駆体であることを特徴とする請求項１〜９のいずれかに記載のポリマーアロイ。
【請求項１１】
請求項１〜１０のいずれかに記載のポリマーアロイを成形してなる成形品。
【請求項１２】
少なくとも２成分以上の熱可塑性樹脂からなるポリマーアロイを製造する際に、前記ポリマーアロイを構成する熱可塑性樹脂成分のうち少なくとも１つの熱可塑性樹脂成分の前駆体がビニル単量体（Ａ）であり、該ビニル単量体（Ａ）を残りの熱可塑性樹脂成分（Ｂ１）および／または熱可塑性樹脂成分の前駆体（Ｂ２）共存下で化学反応させることでスピノーダル分解を誘発させることを特徴とするポリマーアロイの製造方法。
【請求項１３】
ビニル単量体（Ａ）と残りの熱可塑性樹脂成分（Ｂ１）および／または熱可塑性樹脂成分の前駆体（Ｂ２）の少なくとも一つが相溶し、化学反応後に相分離することを特徴とする請求項１２に記載のポリマーアロイの製造方法。
【請求項１４】
前記化学反応がラジカル重合反応であり、ポリマー生成に伴う少なくとも２段階の液―液相分離を経て得られることを特徴とする請求項１２〜１３のいずれかに記載のポリマーアロイの製造方法。
【請求項１５】
前記ビニル単量体（Ａ）が、メタクリル酸またはそのエステル、アクリル酸またはそのエステル、カルボン酸ビニル、スチレン、アクリロニトリルから選ばれる少なくとも１種の単量体であることを特徴とする請求項１２〜１４のいずれかに記載のポリマーアロイの製造方法。
【請求項１６】
熱可塑性樹脂成分（Ｂ１）がポリメタクリル酸またはそのエステル、ポリアクリル酸またはそのエステル、ポリカルボン酸ビニル、ポリスチレン、ポリアクリロニトリル、ポリエチレン、ポリビニルピロリドン、ポリフッ化ビニリデン、ポリエステル、ポリアミドおよびセルロース類から選ばれる少なくとも１種の熱可塑性樹脂および／またはその共重合体であることを特徴とする請求項１２〜１５のいずれかに記載のポリマーアロイの製造方法。
【請求項１７】
熱可塑性樹脂成分の前駆体（Ｂ２）がポリエステル、ポリアミド、ポリアリーレンスルフィドおよびポリカーボネートから選ばれる少なくとも１種の熱可塑性樹脂成分の前駆体であることを特徴とする請求項１２〜１６のいずれかに記載のポリマーアロイの製造方法。